(57)【要約】      （修正有）【課題】風呂場、洗面台又は化粧台に備え付けられて用いられる鏡であって、鏡面の位置や角度に対する自由度の高い鏡を提供する。【解決手段】鏡本体１０と、鏡本体が取り付けられた筐体と、筐体の底部の外側に取り付けられた支持アーム９０とを備える。【選択図】図１
0003207028.tif 000002
【実用新案登録請求の範囲】
【請求項１】
鏡本体と、
前記鏡本体が取り付けられた筐体と、
前記筐体の底部の外側に取り付けられた支持アームと
を備えることを特徴とする鏡。
【請求項２】
前記支持アームは、
アーム部と、
前記アーム部の一端側に設けられ、前記底部の外側に取り付けられる第１の取付部と、
前記アーム部の他端側に設けられた第２の取付部と
を備え、
前記アーム部は、長手方向の少なくとも一箇所で屈曲し、かつ、屈曲した状態又は伸展した状態で前記鏡本体及び前記筐体を支持する
ことを特徴とする請求項１に記載の鏡。
【請求項３】
前記アーム部と前記第１の取付部との接続部分において、垂直方向及び水平方向の２軸に対する回動機構が設けられている
ことを特徴とする請求項１又は２に記載の鏡。
【請求項４】
さらに、
前記鏡本体の背面側に貼り付けられた、前記鏡本体よりも面積の小さい加熱用板と、
前記加熱用板に、発光面が前記鏡本体とは反対側を向き、前記鏡本体の鏡面を２等分する中心軸を挟む位置に配置された複数のＬＥＤと、
前記複数のＬＥＤの発光面側に、前記筐体の底部の法線に対して４５度の角度で設けられた反射面を備える反射体と
を備え、
前記筐体は、平板状の前記底部と、前記筐体の底部の周縁から高さ方向に所定の角度で立ち上がる壁部とによって画定され、画定された当該筐体の上側には前記鏡本体が取り付けられる
ことを特徴とする請求項１〜３のいずれか一項に記載の鏡。
【請求項５】
さらに、
前記加熱用板の前記筐体の底部側の面上に、前記中心軸に沿って配置された発熱体
を備えることを特徴とする請求項４に記載の鏡。
【請求項６】
前記反射体は、
前記筐体の底部に固定される第１固定部と、
前記反射面を備える反射部と、
前記鏡本体を、直接に、又は、前記加熱用板よりも熱伝導率の低い低熱伝導部材を介して、支持する鏡面支持部と、
前記鏡本体及び前記筐体の底部に直角に設けられた直角支持部と、
前記筐体の底部に固定される第２固定部と
をこの順に配列して一体として構成されている
ことを特徴とする請求項４又は５に記載の照明灯付き鏡。
【請求項７】
前記ＬＥＤは前記中心軸を挟む位置にそれぞれ２列ずつ配置され、
前記中心軸側のＬＥＤから放出される光は前記反射面で反射され、
前記鏡本体の前記加熱用板が貼り付けられていない領域である窓部側のＬＥＤから放出される光は、前記反射面以外の面で等方的に反射される
ことを特徴とする請求項４〜６のいずれか一項に記載の鏡。
【考案の詳細な説明】
【技術分野】
【０００１】
この考案は、鏡に関するものである。
【背景技術】
【０００２】
風呂場に備え付けられている鏡は、一般に壁面に固定されている（例えば、特許文献１参照）。また、鏡が洗面台や化粧台（以下、支持台と称することもある。）に備え付けられている場合、ある軸を中心に回転可能に取り付けられることもある。
【０００３】
なお、洗面台や風呂場等の湿度の高い場所、又は、暗所での鏡面の視認性を確保するために、鏡面の結露防止手段、及び、照明手段として、背面にＬＥＤを備えている鏡の提案もなされている（例えば、特許文献２参照）。
【先行技術文献】
【特許文献】
【０００４】
【特許文献１】特開２０１６−０２８７８４号公報
【特許文献２】特許第５８７７９２１号公報
【考案の概要】
【考案が解決しようとする課題】
【０００５】
上述の従来例の鏡は、壁面や支持台に固定されて用いられるのが一般的である。鏡が備え付けられている支持台自体の可動性を除けば、１つの軸を中心とした回動、又は、鏡面に平行な面内の水平移動に留まることがほとんどである。
【０００６】
鏡の用途によっては、鏡を鏡面に直角な方向への水平移動や、水平及び垂直以外の軸を中心とした回動が求められることがある。
【０００７】
しかしながら、これまで、風呂場、洗面台又は化粧台に備え付けられている鏡として、鏡面の位置や角度に対する自由度の高い鏡は知られていない。
【０００８】
この考案は、上述の問題点に鑑みてなされたものであり、この考案の目的は、例えば、風呂場、洗面台又は化粧台に備え付けられて用いられる鏡であって、鏡面の位置や角度に対する自由度の高い鏡を提供することにある。
【課題を解決するための手段】
【０００９】
上述した目的を達成するために、この考案の鏡は、鏡本体と、鏡本体が取り付けられた筐体と、筐体の底部の外側に取り付けられた支持アームとを備えて構成される。
【００１０】
ここで、支持アームは、アーム部と、アーム部の一端側に設けられ、筐体の底部の外側に取り付けられる第１の取付部と、アーム部の他端側に設けられた第２の取付部とを備え、アーム部は、長手方向の少なくとも一箇所で屈曲し、かつ、屈曲した状態又は伸展した状態で鏡本体及び筐体を支持できるのが良い。
【００１１】
さらに、鏡本体の背面側に貼り付けられた、鏡本体よりも面積の小さい加熱用板と、加熱用板に、発光面が鏡本体とは反対側を向き、鏡本体の鏡面を２等分する中心軸を挟む位置に配置された複数のＬＥＤと、複数のＬＥＤの発光面側に、筐体の底部の法線に対して４５度の角度で設けられた反射面を備える反射体とを備え、筐体は、平板状の底部と、筐体の底部の周縁から高さ方向に所定の角度で立ち上がる壁部とによって画定され、画定された筐体の上側には鏡本体が取り付けられるのが良い。
【考案の効果】
【００１２】
この考案の鏡は、支持アームにより支持される。このため、支持アームが備えるアーム部の屈曲又は伸展により、鏡本体を鏡面に直角な方向へ水平移動させることができる。このため、着席した状態でも、容易に鏡面に近づいた状態で鏡を利用することができる。
【００１３】
また、鏡本体及び筐体を照明灯付き鏡として構成すれば、鏡自体が照明器具として機能するので、別途照明器具を用意する必要がない。また、鏡本体とともに照明器具も移動することになるので、別途照明器具の位置を変更する必要がないなど、利便性が向上する。
【図面の簡単な説明】
【００１４】
【図１】本考案の実施形態に係る鏡の模式図である。
【図２】本考案の鏡を、照明灯付き鏡として構成した場合の正面図である。
【図３】図２に示された照明灯付き鏡の断面図である。
【図４】照明灯付き鏡が備える反射体の断面図である。
【考案を実施するための形態】
【００１５】
以下、図を参照して、この考案の実施の形態について説明するが、各構成要素の形状、大きさ及び配置関係については、この考案が理解できる程度に概略的に示したものに過ぎない。また、以下、この考案の好適な構成例につき説明するが、各構成要素の材質及び数値的条件などは、単なる好適例にすぎない。従って、この考案は以下の実施の形態に限定されるものではなく、この考案の構成の範囲を逸脱せずにこの考案の効果を達成できる多くの変更又は変形を行うことができる。
【００１６】
図１を参照して、この考案の鏡について説明する。
【００１７】
この考案の鏡は、鏡本体と、筐体と、支持アームとを備えて構成される。
【００１８】
鏡本体１０は、対象物体を映す鏡面Ｓ１１と、鏡面Ｓ１１とは反対側の背面Ｓ１２とを有している。鏡本体１０は、例えばガラス板で構成される。なお、鏡面Ｓ１１は、必要に応じて、傷が付かないように表面コーティングされている。
【００１９】
筐体３０は、平板状の底部（筐体底部）３１と、筐体底部３１の周縁から高さ方向に所定の角度で立ち上がる壁部（筐体壁部）３２とによって画定される。筐体壁部３２の上側には、鏡本体１０が取り付けられる。鏡本体１０の筐体３０への取付けは、任意好適な従来公知の方法で行えばよい。例えば、筐体壁部３２の上端部近傍に、筐体底部３１と平行に一周に渡って溝を形成し、溝内にゴムなどの緩衝材３４を介して鏡本体１０を嵌め込む構成にしてもよい（図３参照）。
【００２０】
支持アーム９０は、アーム部９１と、アーム部９１の一端側に設けられた第１の取付部９２と、アーム部９１の他端側に設けられた第２の取付部９３とを備えている。第１の取付部９２は、筐体底部３１の外側に取り付けられている。第２の取付部９３は、壁面又は支持台に取り付けられる。
【００２１】
支持アーム９０は、アーム部９１の長手方向の少なくとも一箇所で屈曲し、かつ、屈曲した状態又は伸展した状態で鏡本体１０及び筐体３０を支持できる。この例では、アーム部９１は、長手方向の一箇所だけでなく、第１の取付部９２及び第２の取付部９３との接続部分において、水平面内で回動可能である。また、アーム部９１は、第１の取付部９２との接続部分において、垂直面内でも回動可能である。なお、ここでは、アーム部９１が、第１の取付部９２及び第２の取付部９３との接続部分において回動可能としているが、これに限定されない。第１の取付部９２及び第２の取付部９３自体が回動機構を備えるなど、回動機構が接続部分以外に設けられていてもよい。アーム部９１と第１の取付部９２との接続部分において、垂直方向及び水平方向の２軸に対して回動可能となっているが、この構成は、当業者であれば既製品など公知技術を用いて実現可能である。
【００２２】
第１の取付部９２は、例えば、ＶＥＳＡ規格に準拠した形状となっている。また、アーム部９１は、液晶ディスプレイの支持に用いられる、任意好適な従来公知のものを用いることができる。第２の取付部９３は、アーム部９１を、壁面又は支持台に取り付ける機能を有しており、任意好適な従来公知の手段で実現できる。
【００２３】
例えば、従来の鏡が取り付けられた洗面台又は化粧台では、鏡本体１０を鏡面Ｓ１１に直角な方向へ水平移動させることはできない。このため、鏡面Ｓ１１に近付いて鏡を利用したい場合、利用者自身が鏡面Ｓ１１に近付く必要がある。しかし、着席した状態で鏡を使用する構造など、洗面台又は化粧台の構造によっては、利用者自身が鏡面に近付くことが難しい場合もある。
【００２４】
これに対し、この考案の鏡では、アーム部９１の屈曲又は伸展により、鏡本体１０を鏡面Ｓ１１に直角な方向へ水平移動させることができる。このため、着席した状態でも、容易に鏡面Ｓ１１に近づいた状態で鏡を利用することができる。また、鏡面Ｓ１１を垂直方向及び水平方向の２軸に対して回動させ、その状態で支持できる。このため、垂直方向及び水平方向のそれぞれの軸について、利用者にとって都合のよい角度で鏡を利用することができる。
【００２５】
鏡本体及び筐体を照明灯付き鏡として構成することもできる。図２〜図４を参照して、鏡本体及び筐体を照明灯付き鏡として構成した例について説明する。
【００２６】
図２は、照明灯付き鏡の正面図である。図３は、図２に示された照明灯付き鏡の、Ａ−Ａ線に沿って切った切断端面を示す図である。なお、図３では、中心軸Ｂに対して左側部分のみ示し、右側部分の図示を省略している。右側部分については、中心軸Ｂを軸として対称に形成すればよい。図４は、照明灯付き鏡が備える反射体の断面図である。
【００２７】
図２〜図４において、同一又は対応部分には、同一の符号を付与してある。図２〜図４を参照すると、照明灯付き鏡は、鏡本体１０及び筐体３０に加えて、複数のＬＥＤ５０、加熱用板２０及び反射体６０を備えて構成される。
【００２８】
鏡本体１０は、対象物体を映す鏡面Ｓ１１と、鏡面Ｓ１１とは反対側の背面Ｓ１２とを有している。鏡本体１０は、ガラス板で構成される。鏡本体１０の背面Ｓ１２には、加熱用板２０として、ガラス板よりも熱伝導性に優れた（例えば、熱伝導率の高い）一層の金属板が貼り付けられている。金属板は、好ましくは、コスト的に優れているアルミニウム板、銅板、又は、それらの合金板である。
【００２９】
なお、加熱用板２０の面積は、鏡本体１０の面積よりも小さく、加熱用板２０は、鏡本体１０に互いに中心を揃えて貼り付けられている。このため、鏡本体１０の加熱用板２０の貼り付けられている中央部分がいわゆる鏡面として機能する鏡部１となり、加熱用板２０が貼り付けられていない部分が、照明用などに用いられる窓部２となる。窓部２は例えば照明灯付き鏡を設置したときに、両端側に位置するように設けられる。
【００３０】
ここで、加熱用板２０の面積が大きい場合など、鏡本体１０と加熱用板２０との密着性を高めるために加熱用板２０を複数の金属板を並べて構成しても良い。
【００３１】
鏡本体１０の板厚は、背面Ｓ１２から伝導してくる熱が鏡面Ｓ１１の全体に伝導し、鏡面Ｓ１１の結露が防止される厚さになっている。
【００３２】
図３では、溝を側板３３に形成し、側板３３を筐体壁部３２に取り付ける例を示しているが、側板３３と筐体壁部３２を一体に構成しても良い。
【００３３】
複数のＬＥＤ５０は、鏡面Ｓ１１を２等分する中心軸（図２及び図３中、Ｂで示す。）を挟む位置に配置されている。この実施形態では、中心軸Ｂを挟む位置に、それぞれ２列ずつ配置されている。複数のＬＥＤ５０のそれぞれは、赤色ＬＥＤ、緑色ＬＥＤ、又は、青色ＬＥＤであって、その外面が発光面Ｓ５１と、放熱面Ｓ５２とに区分けされている。放熱面Ｓ５２は、ＬＥＤ５０の外面のうち発光面Ｓ５１を除く部分である。
【００３４】
複数のＬＥＤ５０のそれぞれは、発光面Ｓ５１が鏡本体１０とは反対側を向き、放熱面Ｓ５２が配線基板（図示を省略する）に直に接触した状態で配線基板に搭載されている。ＬＥＤ５０のそれぞれは、配線基板の配線パターンに接続されており、配線パターンを介して電力供給されると発光面Ｓ５１から赤色、緑色、又は、青色の光Ｌを発し、その発光にともなう発熱を放熱面Ｓ５２から熱Ｈとして放熱する。複数のＬＥＤ５０が発光にともなって放熱した熱Ｈは、ＬＥＤ５０の放熱面Ｓ５２のうち加熱用板２０側の部分から加熱用板２０に伝導し、鏡面Ｓ１１を加熱する。鏡面Ｓ１１は、加熱されることによって結露しなくなる。
【００３５】
中心軸Ｂ側の列のＬＥＤ５０ａの発光面Ｓ５１側には、反射体６０が設けられている。ＬＥＤ５０ａの発光方向が筐体底部３１に直交する方向である場合は、反射体６０は、反射体６０が備える反射面Ｓ６６が筐体底部３１の法線に対して４５度の角度で取り付けられ、ＬＥＤ５０ａが発する光Ｌを筐体底部３１に平行に筐体壁部３２に送るのが好ましい。
【００３６】
筐体壁部３２を、筐体底部３１の法線に対して所定の角度θ、例えば、筐体底部３１の法線に対して０度より大きく４５度より小さい角度に設定しておけば、反射体６０から送られた光Ｌを、窓部２を経て鏡面Ｓ１１側に放出することができる。
【００３７】
この反射体６０は、鏡本体１０の撓みを抑制する補強部材としても機能する。このため、反射体６０は、第１固定部６１と、反射部６２と、鏡面支持部６３と、直角支持部６４と、第２固定部６５とをこの順に配列して一体として構成される。
【００３８】
第１固定部６１及び第２固定部６５は、筐体底部３１に固定される部分であり、これらの部分６１及び６５を筐体底部３１にねじ止めするなどして、反射体６０が筐体底部３１に固定される。
【００３９】
反射部６２の鏡本体１０側の面が反射面Ｓ６６であり、ＬＥＤ５０が発する光Ｌの伝播方向を変えて、筐体壁部３２に送る。
【００４０】
鏡面支持部６３及び直角支持部６４が主に補強部材として機能する部分である。このように反射体６０が補強部材としても機能するため、鏡本体１０の面積が大きい場合でも、鏡本体１０の撓みを抑制することができ、また、衝撃による破損等も抑制することができる。
【００４１】
反射体６０は、筐体底部３１側からみたときに、第１固定部６１と反射部６２とのなす角を２２５度とし、反射部６２と鏡面支持部６３とのなす角を１３５度とし、鏡面支持部６３と直角支持部６４とのなす角を９０度とし、直角支持部６４と第２固定部６５とのなす角を２７０度としている。この反射体６０は、一枚の金属板を折り曲げて形成しても良いし、複数の金属板を溶接等で接続して形成しても良い。なお、ここでは、取り付けられた際に、第１固定部６１及び第２固定部６５が、反射部６２及び直角支持部６４を挟む位置に設けられる例を示しているが、これに限定されない。設計に応じて、例えば、第１固定部６１及び第２固定部６５のいずれか一方又は双方が、反射部６２及び直角支持部６４に挟まれる位置に設けられても良い。
【００４２】
加熱用板２０の熱が反射体６０に伝導するのを防ぐため、鏡面支持部６３と加熱用板２０の間には、加熱用板２０よりも熱伝導率の低い、例えば樹脂材７０を備えるのが良い。
【００４３】
筐体３０の厚みを薄くした場合など、窓部２を均一な照度にすることが困難な場合もある。そこで、ＬＥＤ５０から発する光を効率よく窓部２に送るため、汎用の光反射シート８０を反射体６０の反射面Ｓ６６や、加熱用板２０、筐体底部３１及び筐体壁部３２の筐体３０の内側の面上に設けるのが良い。
【００４４】
この照明灯付き鏡では、中心軸Ｂを挟む位置に、それぞれ２列ずつＬＥＤ５０が配列されている。中心軸Ｂ側のＬＥＤ５０ａが発する光は、主に、反射体６０が備える反射面Ｓ６６で反射された後、窓部２を経て放出される。一方、窓部２側のＬＥＤ５０ｂが発する光は、筐体底部３１などに設けられた光反射シート８０で等方的に反射された後、窓部２を経て放出される。
【００４５】
中心軸Ｂ側のＬＥＤ５０ａが発する光の増減により、窓部２を経て放出される光の強度は大きく増減する。一方、窓部２側のＬＥＤ５０ｂが発する光の増減により、窓部２を経て放出される光の強度も増減する。しかし、中心軸Ｂ側のＬＥＤ５０ａが発する光の強度の増減に比べて、窓部２側のＬＥＤ５０ｂが発する光の強度の増減が窓部２を経て放出される光の強度の増減に与える影響は小さい。
【００４６】
このため、中心軸Ｂ側のＬＥＤ５０ａが発する光の反射面Ｓ６６での反射と、窓部２側のＬＥＤ５０ｂが発する光の光反射シート８０での反射を組み合わせることで、窓部２から放出される光について所望の強度をより容易に得ることができる。
【００４７】
また、よりデザイン性を向上させるため、筐体底部３１の窓部２に近い領域や筐体壁部３２については、単なる光反射シートではなく、ホログラムシートなどを設けるのが良い。汎用の光反射シートあるいはホログラムシートは、例えば、両面テープなど任意好適な従来公知の手段により貼り付けられる。
【００４８】
この照明灯付き鏡では、ＬＥＤ５０が鏡面Ｓ１１の中心付近に設けられていない。そのため、電源投入時など、中心付近の結露が解消されるまでに時間がかかることも想定さる。
【００４９】
そこで、鏡面Ｓ１１の中心付近を加熱する発熱体４０を、鏡面Ｓ１１の中心軸Ｂに沿って設けるのが良い。この発熱体４０は、従来公知の任意好適なヒータを用いて構成することができる。ＬＥＤ５０からの発熱が加熱用板２０全体に広がった後は、発熱体４０による加熱を停止してもよい。
【００５０】
ＬＥＤ５０のそれぞれは、放熱面Ｓ５２が加熱用板２０に取り付けられているため、ＬＥＤ５０の発光にともなって放熱面Ｓ５２から放熱される熱Ｈを効率よく加熱用板２０に伝導することができる。
【００５１】
加熱用板２０は、鏡本体１０の鏡面Ｓ１１とは反対側の背面Ｓ１２に貼り付けられているため、鏡面Ｓ１１を遮ることなく、複数のＬＥＤ５０からの熱Ｈを鏡本体１０の背面Ｓ１２に伝導できる。また、反射体６０を備える構成により、中心軸Ｂ側の列のＬＥＤ５０ａからの光Ｌを照明用途として窓部２から効率的に取り出すことができる。このため、鏡本体１０の面積が大きい場合であっても、使用するＬＥＤ５０の個数を従来の照明灯付き鏡よりも減らすことができる。
【００５２】
この鏡本体１０及び筐体３０を照明灯付き鏡として構成した鏡によれば、アーム部９１の屈曲又は伸展により、鏡本体１０を鏡面Ｓ１１に直角な方向へ水平移動させることができる。このため、着席した状態でも、容易に鏡面Ｓ１１に近づいた状態で鏡を利用することができる。また、鏡本体１０及び筐体３０を照明灯付き鏡として構成しているので、鏡自体が照明器具として機能する。この結果、別途照明器具を用意する必要がない。また、鏡本体とともに照明器具も移動することになるので、鏡面Ｓ１１の位置の変更をするだけでよく、照明器具の位置を変更する必要がないなど、利便性が向上する。
【符号の説明】
【００５３】
１    鏡部
２    窓部
１０    鏡本体
２０    加熱用板
３０    筐体
３１    筐体底部
３２    筐体壁部
３３    側板
３４    緩衝材
４０    発熱体
５０    ＬＥＤ
６０    反射体
６１    第１固定部
６２    反射部
６３    鏡面支持部
６４    直角支持部
６５    第２固定部
７０    樹脂材
８０    光反射シート
９０    支持アーム
９１    アーム部
９２    第１の取付部
９３    第２の取付部
Ｈ    熱
Ｌ    光
Ｓ１１    鏡面
Ｓ１２    背面
Ｓ５１    発光面
Ｓ５２    放熱面
Ｓ６６    反射面
【図１】
0003207028.tif 000003
【図２】
0003207028.tif 000004
【図３】
0003207028.tif 000005
【図４】
0003207028.tif 000006
【手続補正書】
【提出日】平成28年8月10日(2016.8.10)
【手続補正１】
【補正対象書類名】実用新案登録請求の範囲
【補正対象項目名】全文
【補正方法】変更
【補正の内容】
【実用新案登録請求の範囲】
【請求項１】
鏡本体と、
前記鏡本体が取り付けられた筐体と、
前記筐体の底部の外側に取り付けられた支持アームと
を備えることを特徴とする鏡。
【請求項２】
前記支持アームは、
アーム部と、
前記アーム部の一端側に設けられ、前記底部の外側に取り付けられる第１の取付部と、
前記アーム部の他端側に設けられた第２の取付部と
を備え、
前記アーム部は、長手方向の少なくとも一箇所で屈曲し、かつ、屈曲した状態又は伸展した状態で前記鏡本体及び前記筐体を支持する
ことを特徴とする請求項１に記載の鏡。
【請求項３】
前記アーム部と前記第１の取付部との接続部分において、垂直方向及び水平方向の２軸に対する回動機構が設けられている
ことを特徴とする請求項２に記載の鏡。
【請求項４】
さらに、
前記鏡本体の背面側に貼り付けられた、前記鏡本体よりも面積の小さい加熱用板と、
前記加熱用板に、発光面が前記鏡本体とは反対側を向き、前記鏡本体の鏡面を２等分する中心軸を挟む位置に配置された複数のＬＥＤと、
前記複数のＬＥＤの発光面側に、前記筐体の底部の法線に対して４５度の角度で設けられた反射面を備える反射体と
を備え、
前記筐体は、平板状の前記底部と、前記筐体の底部の周縁から高さ方向に所定の角度で立ち上がる壁部とによって画定され、画定された当該筐体の上側には前記鏡本体が取り付けられる
ことを特徴とする請求項１〜３のいずれか一項に記載の鏡。
【請求項５】
さらに、
前記加熱用板の前記筐体の底部側の面上に、前記中心軸に沿って配置された発熱体
を備えることを特徴とする請求項４に記載の鏡。
【請求項６】
前記反射体は、
前記筐体の底部に固定される第１固定部と、
前記反射面を備える反射部と、
前記鏡本体を、直接に、又は、前記加熱用板よりも熱伝導率の低い低熱伝導部材を介して、支持する鏡面支持部と、
前記鏡本体及び前記筐体の底部に直角に設けられた直角支持部と、
前記筐体の底部に固定される第２固定部と
をこの順に配列して一体として構成されている
ことを特徴とする請求項４又は５に記載の鏡。
【請求項７】
前記ＬＥＤは前記中心軸を挟む位置にそれぞれ２列ずつ配置され、
前記中心軸側のＬＥＤから放出される光は前記反射面で反射され、
前記鏡本体の前記加熱用板が貼り付けられていない領域である窓部側のＬＥＤから放出される光は、前記反射面以外の面で等方的に反射される
ことを特徴とする請求項４〜６のいずれか一項に記載の鏡。